(57)【特許請求の範囲】
【請求項１】
被写体を撮影する撮像部及びネットワークに接続され且つサーバー機能を呈するカメラサーバーを有するネットワークカメラと、
前記ネットワークに接続され且つ前記ネットワークカメラのドメイン名、ユーザーＩＤ及びパスワードを前記ネットワークカメラのＩＰアドレスと対応付けてその記憶部に記憶するダイナミックドメインネームシステムサーバーと、
前記ネットワークを通じて、前記ダイナミックドメインネームシステムサーバーとの間の通信によって前記ネットワークカメラと接続されることで、前記ネットワークカメラとの間で通信を行う通信機器とを備えており、
前記通信機器が前記ネットワークカメラに初回アクセスした際には、前記ネットワークカメラの前記カメラサーバーは前記通信機器に対して前記通信機器の電子メールアドレスの入力を要求し、その結果、前記通信機器が要求された前記電子メールアドレスのデータを前記ネットワークカメラに送信して来た時には、前記カメラサーバーはその記憶部に前記通信機器の前記電子メールアドレスのデータを保存し、
前記通信機器による前記ネットワークカメラへの２回目以降の各アクセス時には、当該アクセス終了毎に、
（１）前記カメラサーバーは、その記憶部に保存されている当該アクセス時用のドメイン名とは異なる次回アクセス時用の新しいドメイン名を自ら生成して当該新しいドメイン名をその記憶部に保存すると共に、当該新しいドメイン名を、前記ネットワークを通じて、前記ダイナミックドメインネームシステムサーバーへ送信し、前記ダイナミックドメインネームシステムサーバーはその記憶部に記憶されている当該アクセス時用のドメイン名を前記カメラサーバーから送信されて来た前記新しいドメイン名に変更してその記憶部に記憶し、
（２）更に前記カメラサーバーは、その記憶部に保存している前記通信機器の前記電子メールアドレスのデータに基づき、変更・登録された前記次回アクセス時用の新しいドメイン名を記載した電子メールを作成して前記通信機器に送信することを特徴とする、
ネットワークカメラへの不正アクセス防止用通信システム。
【請求項２】
請求項１記載の通信システムであって、
前記通信機器による前記ネットワークカメラへの２回目以降の各アクセス時には、当該アクセス終了毎に、
（１−１）前記カメラサーバーは、その記憶部に保存されている当該アクセス時用のユーザーＩＤ及びパスワードとは異なる次回アクセス時用の新しいユーザーＩＤ及びパスワードをも自ら生成して当該新しいユーザーＩＤ及びパスワードをその記憶部に保存すると共に、前記新しいドメイン名と共に、当該新しいユーザーＩＤ及びパスワードを、前記ネットワークを通じて、前記ダイナミックドメインネームシステムサーバーへ送信し、前記ダイナミックドメインネームシステムサーバーはその記憶部に記憶されている当該アクセス時用のユーザーＩＤ及びパスワードをも前記カメラサーバーから送信されて来た前記新しいユーザーＩＤ及びパスワードに変更してその記憶部に記憶し、
（２−１）更に前記カメラサーバーは、その記憶部に保存している前記通信機器の前記電子メールアドレスのデータに基づき、前記新しいドメイン名の記載と共に変更・登録された前記次回アクセス時用の新しいユーザーＩＤ及びパスワードをも記載した電子メールを作成して前記通信機器に送信することを特徴とする、
ネットワークカメラへの不正アクセス防止用通信システム。
【請求項３】
被写体を撮影する撮像部及びネットワークに接続され且つサーバー機能を呈するカメラサーバーを有するネットワークカメラと、
前記ネットワークに接続され且つ前記ネットワークカメラのドメイン名、ユーザーＩＤ及びパスワードを前記ネットワークカメラのＩＰアドレスと対応付けてその記憶部に記憶するダイナミックドメインネームシステムサーバーと、
前記ネットワークを通じて、前記ダイナミックドメインネームシステムサーバーとの間の通信によって前記ネットワークカメラと接続されることで、前記ネットワークカメラとの間で通信を行う通信機器とを備えており、
前記通信機器が前記ネットワークカメラに初回アクセスした際には、前記ネットワークカメラの前記カメラサーバーは前記通信機器に対して前記通信機器の電子メールアドレスの入力を要求し、その結果、前記通信機器が要求された前記電子メールアドレスのデータを前記ネットワークカメラに送信して来た時には、前記カメラサーバーはその記憶部に前記通信機器の前記電子メールアドレスのデータを保存し、
前記初回アクセス以後は、予め設定された時間が経過する毎に、
（１）前記カメラサーバーは、その記憶部に保存されている前記設定時間が経過する前のドメイン名とは異なる新しいドメイン名を自ら生成して当該新しいドメイン名をその記憶部に保存すると共に、当該新しいドメイン名を、前記ネットワークを通じて、前記ダイナミックドメインネームシステムサーバーへ送信し、前記ダイナミックドメインネームシステムサーバーはその記憶部に記憶されている前記設定時間が経過する前のドメイン名を前記カメラサーバーから送信されて来た前記新しいドメイン名に変更してその記憶部に記憶し、
（２）更に前記カメラサーバーは、その記憶部に保存している前記通信機器の前記電子メールアドレスのデータに基づき、変更・登録された前記新しいドメイン名を記載した電子メールを作成して前記通信機器に送信することを特徴とする、
ネットワークカメラへの不正アクセス防止用通信システム。
【請求項４】
請求項１乃至請求項３の何れかに記載の通信システムであって、
前記カメラサーバーは、前記新しいドメイン名を、配信映像のアクセス終了時の最終画面の平均輝度データに関連付けて生成することを特徴とする、
ネットワークカメラへの不正アクセス防止用通信システム。
【請求項５】
請求項１乃至請求項４の何れかに記載の前記通信システムに於いて適用可能なことを特徴とする、
ネットワークカメラ。
【請求項６】
請求項１乃至請求項４の何れかに記載の前記通信システムに於いて適用可能なことを特徴とする、
通信機器。
【発明の詳細な説明】
【技術分野】
【０００１】
この発明は、ネットワークカメラが撮影した映像を携帯電話機等の通信機器に表示させるための通信システムに於ける不正アクセス防止技術に関する。
【背景技術】
【０００２】
ネットワーク接続機能及びサーバー機能を有するネットワークカメラを用いた通信システムでは、ネットワークカメラをネットワークに接続した際に、ネットワークカメラは、プロバイダのサーバーから取得したＩＰアドレスのデータと、自己の製品シリアル番号のデータと、当該製品シリアル番号に基づいて自動的に自ら生成したドメイン名のデータとを、当該ネットワークカメラの製造元等が運用するダイナミックＤＮＳサーバーに登録する（例えば特許文献１参照）。そして、ユーザーは、携帯電話機等の通信機器を用いて上記ダイナミックＤＮＳサーバーにアクセスして上記製品シリアル番号のデータを当該サーバーに送信するだけで、当該ダイナミックＤＮＳサーバーは、上記製品シリアル番号を介して上記ドメイン名に対応付けられたＩＰアドレスを認識して、当該携帯電話機等の通信機器を上記ネットワークカメラに接続する。
【０００３】
【特許文献１】特開２００３−２３４４５号公報
【発明の開示】
【発明が解決しようとする課題】
【０００４】
ネットワークカメラを自宅内に設置する際には、不正アクセスの解決が不可欠である。即ち、ネットワークカメラのサーバーが上記ダイナミックＤＮＳサーバーにドメイン名等のデータを送信・登録している間に、ネットワークの盗聴により、当該ネットワークカメラのドメイン名が不正に知られてしまう可能性がある。
【０００５】
この様なドメイン名の不正取得による不正アクセスを防止するための対処策としては、知られにくいユニークで複雑なドメイン名を頻繁に設定／変更、入力することが考えられるが、その様な設定／変更、入力を頻繁にユーザーが行うことは大変面倒な作業である。又、ドメイン名に加えてユーザーＩＤ及びパスワードの入力がネットワークカメラにアクセスするために必要であると設定しても、これらの情報の不正取得をも防止するためには、同じく、ユニークで複雑なユーザーＩＤ及びパスワードの設定／変更、入力と言う面倒な作業を頻繁に行うことが必要となる。
【０００６】
本発明は、斯かる問題認識を踏まえて成されたものであり、その目的とするところは、ネットワークの盗聴の可能性がある環境下でも、簡単に且つ確実にネットワークカメラへの不正アクセスを防止可能とする点にある。
【課題を解決するための手段】
【０００７】
この発明の主題に係るネットワークカメラへの不正アクセス防止用通信システムは、被写体を撮影する撮像部及びネットワークに接続され且つサーバー機能を呈するカメラサーバーを有するネットワークカメラと、前記ネットワークに接続され且つ前記ネットワークカメラのドメイン名、ユーザーＩＤ及びパスワードを前記ネットワークカメラのＩＰアドレスと対応付けてその記憶部に記憶するダイナミックドメインネームシステムサーバーと、前記ネットワークを通じて、前記ダイナミックドメインネームシステムサーバーとの間の通信によって前記ネットワークカメラと接続されることで、前記ネットワークカメラとの間で通信を行う通信機器とを備えており、前記通信機器が前記ネットワークカメラに初回アクセスした際には、前記ネットワークカメラの前記カメラサーバーは前記通信機器に対して前記通信機器の電子メールアドレスの入力を要求し、その結果、前記通信機器が要求された前記電子メールアドレスのデータを前記ネットワークカメラに送信して来た時には、前記カメラサーバーはその記憶部に前記通信機器の前記電子メールアドレスのデータを保存し、前記通信機器による前記ネットワークカメラへの２回目以降の各アクセス時には、当該アクセス終了毎に、（１）前記カメラサーバーは、その記憶部に保存されている当該アクセス時用のドメイン名とは異なる次回アクセス時用の新しいドメイン名を自ら生成して当該新しいドメイン名をその記憶部に保存すると共に、当該新しいドメイン名を、前記ネットワークを通じて、前記ダイナミックドメインネームシステムサーバーへ送信し、前記ダイナミックドメインネームシステムサーバーはその記憶部に記憶されている当該アクセス時用のドメイン名を前記カメラサーバーから送信されて来た前記新しいドメイン名に変更してその記憶部に記憶し、（２）更に前記カメラサーバーは、その記憶部に保存している前記通信機器の前記電子メールアドレスのデータに基づき、変更・登録された前記次回アクセス時用の新しいドメイン名を記載した電子メールを作成して前記通信機器に送信することを特徴とする。
【０００８】
以下、この発明の主題の様々な具体化を、添付図面を基に、その効果・利点と共に、詳述する。
【発明の効果】
【０００９】
請求項１の発明によれば、通信機器からネットワークカメラへのアクセスの終了毎に、ネットワークカメラのドメイン名が使い捨てにされた上で、新たなドメイン名が電子メールで通信機器に送信されるので、ネットワークの盗聴の可能性のある環境下でも、面倒な手間を省いて、簡単に且つ確実にネットワークカメラへの不正アクセスを防止することが出来る。加えて、本発明によれば、仮に不正アクセスがあったとしても、その不正アクセス終了後に通信機器に対して電子メールが送信されるため、ユーザーは覚えの無い不正アクセスがあったことを認識することが出来る。その場合でも既にネットワークカメラのドメイン名は自動的に変更されているので（使い捨てされているので）、更に続けて不正アクセスが行われる心配は生じない。
【００１０】
請求項２の発明によれば、ドメイン名に加えて、ユーザーＩＤ及びパスワードもまたアクセスの終了毎に使い捨てにされた上で新たなユーザーＩＤ及びパスワードが電子メールで通信機器に送信されるので、より一層確実に且つ簡単にネットワークカメラへの不正アクセスを防止することが出来る。しかも、ユーザーによるパスワード漏れ及びユーザーのパスワード忘れに対しても効果的に対処することも出来る。
【００１１】
請求項３の発明によれば、ユーザーが通信機器を用いてネットワークカメラにアクセスすることなく、所定の時間経過毎にネットワークカメラがそのドメイン名を生成、変更及び登録並びに新たなドメイン名を記載した電子メールの送信を行うので、面倒な手間を省いて、簡単に且つ確実にネットワークカメラへの不正アクセスを防止することが出来る。
【発明を実施するための最良の形態】
【００１２】
（実施の形態１）
本実施の形態に係るネットワークカメラを用いた通信システムは、ネットワークに対する盗聴の可能性がある環境下に於いても、盗聴されて不正アクセスされること無く、簡単に、再利用性の無い、ユニークなドメイン名（ＵＲＬ）、ユーザーＩＤ及びパスワードを設定、取得及び運用を可能とする点に、その特徴を有する。以下、図面を基に、本実施の形態を説明する。
【００１３】
図１は、本実施の形態に係る通信システムの構成例を示すブロック図である。図１に於いて、ユーザーの自宅内に配設されたネットワークカメラ１は、モデム２を介して、常時接続ＡＤＳＬ等によってインターネット３に接続されている。そして、ネットワークカメラ１の製造元又は販売元等がサービス管理サーバーとして運用するダイナミックドメインネームシステムサーバー（以下、ダイナミックＤＮＳサーバーと言う。）６が、インターネット３に接続されている。ここで、ダイナミックＤＮＳサーバー６は、後述する通り、ネットワークカメラ１のドメイン名、ユーザーＩＤ及びパスワードを、ネットワークカメラ１の製品シリアル番号を介して、ネットワークカメラ１のＩＰアドレスと対応付けて、その記憶部６Ｍに記憶している。更に、携帯電話網４を介して、ユーザーの携帯電話機５は、インターネット３に接続可能である。尚、インターネット３及び携帯電話網４を、「ネットワーク」と総称する。又、自宅外に設置されたユーザーが使用可能なパーソナルコンピュータ（以下、ＰＣと記す。）７も、モデム（図示せず）を介して、インターネット３に接続されている。ここでは、携帯電話機５及びＰＣ７を「通信機器」とも称す。即ち、通信機器５又は７は、ネットワークを通じてダイナミックＤＮＳサーバー６との間で通信を行うことによって、ダイナミックＤＮＳサーバー６が当該通信機器５又は７をネットワークカメラ１と電気的に接続可能な状態とすることで、ネットワークカメラ１との間で以下に記載する通信を行う。尚、以下の記載では、通信機器の一例として、携帯電話機５を採り上げることとする。
【００１４】
図２は、ネットワークカメラ１の内部構成を模式的に示すブロック図である。ネットワークカメラ１は、大別して、被写体を撮影する撮像部１Ａと、インターネット３への接続機能及びサーバー機能を呈するカメラサーバー１Ｂとから成る。撮像部１Ａは、レンズ等の光学系や固体撮像素子等（図示せず）を有する。他方、カメラサーバー１Ｂは、その中核的な制御機能を担うＣＰＵ１Ｂ２と、画像処理部１Ｂ１と、メモリ等より成る記憶部１Ｂ３と、インターネット３への接続機能を担う通信部１Ｂ４とから成る。
【００１５】
図３は、図１の通信システムに於ける動作手順を示すフローチャートである。
【００１６】
先ず、ユーザーが自宅内にネットワークカメラ１を設置し、ネットワークカメラ１とモデム２とを接続してネットワークカメラ１の電源をオンするものとする。このネットワークカメラ１の立ち上げ動作時に於いて、ネットワークカメラ１は、インターネット３を介して、ユーザーのプロバイダが運用するＤＨＣＰ（Dynamic Host Configuration Protocol）サーバー（図１に図示せず）に接続し、当該ＤＨＣＰサーバーからネットワークカメラ１用のＩＰ（Internet Protocol）アドレスを割り当てられる。このＩＰアドレスは膨大な数字の羅列から成るため、ＩＰアドレスを、ＤＤＮＳ方式に従って、人間にとって理解し易く且つ覚え易い文字等から成るドメイン名へと関連付ける必要性がある。そこで、ネットワークカメラ１のカメラサーバー１Ｂは、例えば特許文献１に記載した様な既知の方法によって、その記憶部１Ｂ３内に保持されている自己の製品シリアル番号に基づいて、自動的に自らのホームページのドメイン名（これを固定ドメイン名とも言う。）を自動的に作成する。更に、ネットワークカメラ１のカメラサーバー１Ｂは、不正アクセス防止のためのユーザーＩＤ及びパスワードの両データを、デフォルト値として、その記憶部１Ｂ３に記憶している。そして、ネットワークカメラ１のカメラサーバー１Ｂは、インターネット３を介して、自己の製品シリアル番号のデータと共に、割り当てられたＩＰアドレス、並びに、自ら生成したドメイン名、デフォルト値として設定されているユーザーＩＤ及びパスワードの各データを、ダイナミックＤＮＳサーバー６へ送信する。その結果、ダイナミックＤＮＳサーバー６は、ネットワークカメラ１の製品シリアル番号のデータを鎹として、ネットワークカメラ１に割り当てられたＩＰアドレスのデータと、ネットワークカメラ１のドメイン名、ユーザーＩＤ及びパスワードの各データとを対応付けた上で、これらのデータをその記憶部６Ｍに記憶する。
【００１７】
その上で、ユーザーは、予め決められた規則に則り、ネットワークカメラ１の製品シリアル番号のデータ、デフォルト値のユーザーＩＤ及びパスワードの両データ及びダイナミックＤＮＳサーバー６自身のドメイン名のデータを、携帯電話機５によって入力して、これらのデータをダイナミックＤＮＳサーバー６にネットワークを介して送信する。この携帯電話機５とダイナミックＤＮＳサーバー６との間の通信によって、ダイナミックＤＮＳサーバー６は、接続すべきカメラサーバー１Ｂのホームページの固定ドメイン名を認識して、携帯電話機５を、電気的にネットワークカメラ１のカメラサーバー１Ｂに接続し、携帯電話機５によるカメラサーバー１Ｂへの初回アクセスが実行される。
【００１８】
初回アクセス時に於いては、ネットワークカメラ１のカメラサーバー１Ｂは、携帯電話機５に対してその電子メールアドレスの入力を要求し、その結果、携帯電話機５がその電子メールアドレスのデータをカメラサーバー１Ｂに送信して来た時には、カメラサーバー１Ｂは、その記憶部１Ｂ３に、携帯電話機５の電子メールアドレスのデータを保存する。より具体的には、初回アクセスにより携帯電話機５がカメラサーバー１Ｂに繋がると、携帯電話機５のディスプレイ上には、電子メールアドレスの入力を要求するカメラサーバー１Ｂのホームページ画面が映し出される。この要求に応じて、ユーザーが当該携帯電話機５の電子メールアドレスを入力して画面上の決定釦を押すと、カメラサーバー１Ｂは、ホームページ画面上に入力された電子メールアドレスのデータを、その記憶部１Ｂ３に記憶する。
【００１９】
携帯電話機５によるカメラサーバー１Ｂへの２回目以降の各アクセス時に於ける本システムの動作は、次の（１）及び（２）の通りに、毎回実行される。
【００２０】
（１）  即ち、ネットワークカメラ１への次回目のアクセスが有ると、カメラサーバー１Ｂのホームページが携帯電話機５のディスプレイ上に映し出され、携帯電話機５がホームページ上で被写体の画像配信を要求すると、カメラサーバー１Ｂは、画像処理後の被写体の画像データを携帯電話機５に送信する。そして、画像配信が終了すると、そのタイミングで、即ち、アクセス終了時点に於いて、カメラサーバー１Ｂは、その記憶部１Ｂ３に保存されている当該アクセス時用のドメイン名、ユーザーＩＤ及びパスワードとはそれぞれ異なる次回アクセス時用の新しいユニークなドメイン名（ＵＲＬ）、ユーザーＩＤ及びパスワードを自動的に生成し（生成されたドメイン名等の各々を保存されている当該アクセス時用のドメイン名等の各々と対比することで、今回自動生成されたドメイン名等が新しいドメイン名等であるか否かを判断する）、生成された新しいドメイン名、ユーザーＩＤ及びパスワードをその記憶部１Ｂ３に保存する（その際、ＣＰＵ１Ｂ２は、記憶部１Ｂ３に保存されている当該アクセス時用の古いドメイン名、ユーザーＩＤ及びパスワードを全て消去することとしても良い）。そして、カメラサーバー１ＢのＣＰＵ１Ｂ２は、当該新しいドメイン名、ユーザーＩＤ及びパスワードの各データを、その通信部１Ｂ４及びインターネット３を通じて、ダイナミックＤＮＳサーバー６へ送信する。その結果、ダイナミックＤＮＳサーバー６は、その記憶部６Ｍに記憶されている当該アクセス時用の古いドメイン名、ユーザーＩＤ及びパスワードの各データを、カメラサーバー１Ｂから送信されて来た新しいドメイン名ユーザーＩＤ及びパスワードの各データに変更して、それらの変更後のデータをその記憶部６Ｍに記憶する（変更・登録）。この様に、本実施の形態に係るカメラサーバー１Ｂは、２回目以降のアクセス終了毎に、次回アクセス時用の、新しいユニークなドメイン名、新しいユニークなユーザーＩＤ及び新しいユニークなパスワードを自動生成して登録し、それらのデータをダイナミックＤＮＳサーバー６に対して変更・登録する機能を、有する。その際、カメラサーバー１ＢのＣＰＵ１Ｂ２は、例えば、アクセス終了時の時刻あるいは配信している映像の最終画面の平均輝度データ等の物理量に関連付けて、新しいユニークなドメイン名を自動生成しても良い。斯かるカメラサーバー１Ｂの機能のため、本実施の形態では、カメラサーバー１Ｂへのアクセスに使用されたドメイン名、ユーザーＩＤ及びパスワードは、何れもアクセス終了毎に、使い捨てされることとなる。
【００２１】
尚、カメラサーバー１Ｂは、アクセス終了毎に生成ないしは発行するドメイン名（ＵＲＬ）の数で以って、当該ネットワークカメラ１を利用可能なユーザー数を限定して、不正アクセスの防止効果を高める様に、ドメイン名を管理しても良い。
【００２２】
（２）  更にカメラサーバー１Ｂは、その記憶部１Ｂ３に保存している携帯電話機５の電子メールアドレスのデータに基づき、変更・登録された次回アクセス時用の新しいドメイン名、新しいユーザーＩＤ及び新しいパスワードを記載した電子メールを作成して、当該電子メールを携帯電話機５に送信する。その結果、ユーザーは、携帯電話機５に於ける上記電子メールの受信により、次回アクセス時用の新しいドメイン名、ユーザーＩＤ及びパスワードの情報を取得する。
【００２３】
その後、ユーザーがネットワークカメラ１にアクセスする時には、ユーザーは、ネットワークカメラ１から受信した電子メールに記載されている次回アクセス時用の新しいドメイン名をクリックすることで、携帯電話機５はダイナミックＤＮＳサーバー６を介してネットワークカメラ１にアクセスすることが出来、更にユーザーは、受信した電子メールに記載されている次回アクセス時用の新しいユーザーＩＤ及びパスワードでログイン（新しいユーザーＩＤ及びパスワードの入力）することで、ネットワークカメラ１のホームページのトップページを閲覧することが出来る。その後に行われる本システムに於ける一連の動作は、既述した通りであり、アクセス終了時に、次回アクセス時用の新しいドメイン名、ユーザーＩＤ及びパスワードが生成、保存、変更・登録された上で、これらの新しいドメイン名等を記載した電子メールが再び携帯電話機５に送信される。
【００２４】
尚、上記の記載では、ネットワークカメラ１は、アクセス毎に、当該アクセス時のドメイン名、ユーザーＩＤ及びパスワードの全てに対して新たなドメイン名、ユーザーＩＤ及びパスワードを生成、登録、変更・登録することとしているが、これに代えて、ユーザーＩＤ及びパスワードは使い捨てにせずにそのままデフォルト値で以って使用することとし、ネットワークカメラ１はアクセス毎に新しいドメイン名のみを生成、保存、変更・登録して、次回アクセス時用の新しいドメイン名のみを記載した電子メールを携帯電話機５に送信することとしても良い。
【００２５】
以上に記載した本実施の形態によれば、以下の効果が期待される。
１）  電子メールに記載されたドメイン名（ＵＲＬ）、ユーザーＩＤ及びパスワードを使用するだけで、ユーザーは、簡単にネットワークカメラ１にアクセスすることが可能となる。
２）  新しいユニークなドメイン名（ＵＲＬ）、ユーザーＩＤ及びパスワードを設定し、変更すると言う面倒な手間を、ユーザーは省くことが出来る。
３）  仮にＰＣがなくても、新しいユニークなドメイン名（ＵＲＬ）、ユーザーＩＤ及びパスワードの設定及び変更が可能となる。
４）  ユニークなドメイン名（ＵＲＬ）、ユーザーＩＤ及びパスワードがネットワークカメラ１にアクセスする毎に使い捨て扱いとされるため、盗聴の可能性がある環境下に於いても、ユーザーは、簡単に且つ確実にネットワークカメラ１への不正アクセスを防止することが出来る。
５）  パスワードがネットワークカメラ１へのアクセス終了毎に新しいものに変更されて電子メールで送信されて来るので、ユーザーによるパスワード漏れやパスワード忘れに対して効果的に対処可能である。
６）  ネットワークカメラ１へのアクセス終了毎に電子メールがユーザーの携帯電話機５に送信されて来るので、ユーザーは、覚えの無い不正アクセスがあった場合に、斯かる事体の発生を早期に認識・判断することが出来る。
７）  複数のユーザーが対象の場合でも、ネットワークカメラ１は初回アクセス時に要求する電子メールアドレスを複数登録しておくことで対応可能である。
【００２６】
（変形例１）
アクセス終了毎に代えて、初回アクセス以降、予め設定した時間が経過する毎に、ネットワークカメラ１は、実施の形態１で記載した様に、新しいドメイン名（ＵＲＬ）、ユーザーＩＤ及びパスワードを生成、保存、変更・登録した上で、これらの新しいドメイン名等を記載した電子メールを登録された電子メールアドレス先に送信する様にしても良い。即ち、本変形例では、初回アクセス以後は、予め設定された時間が経過する毎に、カメラサーバー１Ｂは、その記憶部１Ｂ３に保存されている上記設定時間が経過する前の時点に於けるドメイン名とは異なる新しいドメイン名、ユーザーＩＤ及びパスワードを自ら生成して（比較処理を行う）、当該新しいドメイン名、ユーザーＩＤ及びパスワードをその記憶部１Ｂ３に保存する。そして、カメラサーバー１Ｂは、当該新しいドメイン名、ユーザーＩＤ及びパスワードを、インターネット３を通じて、ダイナミックＤＮＳサーバー６へ送信し、ダイナミックＤＮＳサーバー６はその記憶部６Ｍに記憶されている上記設定時間が経過する前の時点のドメイン名、ユーザーＩＤ及びパスワードをカメラサーバー１Ｂから送信されて来た新しいドメイン名、ユーザーＩＤ及びパスワードに変更して、それらのデータをその記憶部６Ｍに記憶する。そして、カメラサーバー１Ｂは、その記憶部１Ｂ３に保存している電子メールアドレスのデータに基づき、変更・登録された新しいドメイン名、ユーザーＩＤ及びパスワードを記載した電子メールを作成して携帯電話機５に送信する。その結果、ユーザーは、電子メールを受信する毎に、ネットワークカメラ１のドメイン名、ユーザーＩＤ及びパスワードが使い捨てられて新しいものに変更されたことを認識し得る。
【００２７】
（変形例２）
アクセス終了毎にあるいは予め設定した時間の経過毎にネットワークカメラ１によって生成される次回アクセス時用の新しいドメイン名（ＵＲＬ）、ユーザーＩＤ及びパスワードが記載された暗号化ファイルを電子メールに添付して送信し、固体識別子（ＳＩＤ）が一致した端末やパスワードを入力しない限り、復号化しない様な仕組みを提供しても良い。
【００２８】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【産業上の利用可能性】
【００２９】
この発明は、例えばネットワークカメラに適用可能である。
【図面の簡単な説明】
【００３０】
【図１】この発明の実施の形態１に係る通信システムの構成を模式的に示すブロック図である。
【図２】ネットワークカメラの構成を模式的に示すブロック図である。
【図３】この発明の実施の形態１に於ける通信システムの動作を示すフローチャートである。
【符号の説明】
【００３１】
１  ネットワークカメラ
３  インターネット
４  携帯電話網
５  携帯電話機
６  ダイナミックＤＮＳサーバー
７  パーソナルコンピュータ（ＰＣ）
【図１】
0004714938.tif 000002
【図２】
0004714938.tif 000003
【図３】
0004714938.tif 000004